(57)【要約】【課題】  マーカーを紙面に対して所定の角度と少々異なる角度で当てても、また、紙面に沿って移動する最中にこの傾斜角度が少々変動しても、一定の太さのアンダーラインを描くことができるマーカーを提供する。【解決手段】  先端の塗布部が扁平な長方形で、かつ軸線に対して傾斜したペン体が軸筒の先端開口から突出するマーカーにおいて、ペン体の円柱部が突出する軸筒の先端開口を長円形にし、ペン体の尾端部に球形部を形成してこの球形部にインキ中継芯に当接し、かつ球形部を軸筒内の抱持部に回動可能に抱持し、軸筒の長円形の先端開口に沿って塗布部を長手方向に首振り可能にする。【選択図】  図１
2009248493.tif 000002
【特許請求の範囲】
【請求項１】
先端の塗布部が扁平な長方形で、かつ軸線に対して傾斜したペン体が軸筒の先端開口から突出するマーカーにおいて、
ペン体の円柱部が突出する軸筒の先端開口が長円形であり、該ペン体の尾端部に球形部が形成され、該球形部にインキ中継芯に当接し、かつ球形部が軸筒内の抱持部に回動可能に抱持され、軸筒の長円形の先端開口に沿って該塗布部が長手方向に首振り可能であることを特徴とするマーカー。
【発明の詳細な説明】
【技術分野】
【０００１】
本発明は、先端の塗布部が扁平な長方形で、かつ軸線に対して傾斜した、いわゆる斧形のペン体が軸筒の先端開口から突出するマーカーに関するものである。
【背景技術】
【０００２】
太いアンダーラインなどを塗布するためのマーカーのペン体は、先端の塗布部が扁平な長方形で、かつ軸線に対して傾斜した、いわゆる斧形のものが使用され、マーカーを紙面に対して所定の角度、例えは２５°程度傾けたときに、先端の細長い塗布部の全面が紙面にフィットする。そして、紙面に沿って塗布部の短手方向にマーカーを移動すると一定の太さのアンダーラインを描くことができる。
【発明の開示】
【発明が解決しようとする課題】
【０００３】
このように、マーカーを紙面に対して所定の角度傾けて紙面に沿って塗布部の短手方向に移動すると一定の太さのアンダーラインを描くことができるが、この傾斜角度は個人差があり、所定の角度と異なる角度で紙面に当てると、細長い塗布部の端部のいずれかが紙面から浮き上がり、アンダーラインが細くなる。また、最初に所定の角度で紙面に当てても、紙面に沿って移動する最中にこの傾斜角度が変動しやすく、その結果、塗布部の端部のいずれかが交互に紙面から浮き上がり、太さが不揃いで少し蛇行したアンダーラインが描けることになる。
【０００４】
そこで本発明は、マーカーを紙面に対して所定の角度と少々異なる角度で当てても、また、紙面に沿って移動する最中にこの傾斜角度が少々変動しても、一定の太さのアンダーラインを描くことができるマーカーを提供することを目的とする。
【課題を解決するための手段】
【０００５】
かかる目的を達成するために、本発明は、先端の塗布部が扁平な長方形で、かつ軸線に対して傾斜したペン体が軸筒の先端開口から突出するマーカーにおいて、ペン体の円柱部が突出する軸筒の先端開口を長円形にし、ペン体の尾端部に球形部を形成してこの球形部にインキ中継芯に当接し、かつ球形部を軸筒内の抱持部に回動可能に抱持し、軸筒の長円形の先端開口に沿って塗布部を長手方向に首振り可能にする。
【発明の効果】
【０００６】
ペン体が細長い塗布部の長手方向に首振りできるので、マーカーを紙面に対して所定の角度と少々異なる角度で当てても、また、紙面に沿って移動する最中にこの傾斜角度が少々変動しても、その変動量に応じてペン体のマーカーの軸線に対する角度が変化し、細長い塗布部の端部のいずれかが紙面から浮き上がることがなく、全面が常に紙面に当たり、一定の太さのアンダーラインを描くことができる。
【発明を実施するための最良の形態】
【０００７】
以下に図面に基づいて発明を実施するための最良の形態を説明する。図面は中綿式のマーカーに本発明を適用した例を示すが、マーカーは中綿式に限られるものではない。図１において、主軸２の先端に継ぎ手３が接続され、継ぎ手３の先端部に先口４が被せるように固定されている。継ぎ手３内には複数本の縦リブ３１が形成されている。また、先口４の先端開口４１は、図１（Ｂ）に示すように、長円形をしている。
【０００８】
この主軸１と継ぎ手３および先口４で軸筒を構成しており、軸筒内に、極細繊維を引き揃えて棒状に成形されてインキを吸蔵した中綿６が配置されている。インキ中継芯５は連続気泡を有する合成樹脂で成形され、尾端の円錐部５１が中綿６に差し込まれている。また、継ぎ手３の縦リブ３１の段部３３とインキ中継芯５先端の大径部５２の間にスプリング７が介装され、インキ中継芯５は先端側に弾発されている。
【０００９】
ペン体１は連続気泡を有する合成樹脂で成形され、中央は円柱部１３であるが、その後端に球形部１２が形成されている。そして、先端が塗布部１１であるが、塗布部１１は円柱部１３の両側部をそり落として先端面を細長い長方形にしたものであり、塗布部１１は軸線に対して２５°傾斜している。球形部１２にはインキ中継芯５の大径部５２がスプリング７の弾発力により強く当接しており、中綿６内のインキはインキ中継芯５を介してペン体１に供給され、塗布に供される。
【００１０】
継ぎ手３の縦リブ３１には曲率が球形部１２とほぼ等しい抱持部３２が形成されており、球形部１２が抱持部３２に回動自由に抱持されている。なお、この抱持部は２部品構成により形成してもよい。そして、円柱部１３が長円形の先端開口４１にはまり込んで塗布部１１が突出しているが、先端開口４１両端の半円部の曲率は円柱部１３の曲率にほぼ等しく、先端開口４１の平行部の間隔は円柱部１３の外径にほぼ等しくなっている。そして、塗布部１１の長手方向は先端開口４１の長手方向と一致しており、したがって、図１（Ａ）において２点鎖線で示すように、塗布部１１の長手方向は長円形の先端開口４１に沿って首振りすることができる。この首振り角度は例えば±１０°程度である。
【００１１】
図２（Ｂ）に示すように、マーカーを紙面Ｐに対して２５°傾けて塗布すると、塗布部１１がペン体１の軸線、つまりマーカーの軸線に対して２５°傾斜しているので、塗布部１１は首振りすることなく全面が紙面Ｐにフィットし、この傾斜角度で塗布部１１の短手方向に移動させると塗布部１１の長手方向の巾に等しい太さのアンダーラインを描くことができる。次に、マーカーを紙面Ｐに対して２５°±１０°の範囲内で傾けて塗布するときにおいても、図２（Ａ）や（Ｃ）に示すように、塗布部１１が首振りして塗布部１１の全面が紙面Ｐにフィットする。そして、紙面Ｐに沿って移動中に傾斜角度が２５°±１０°の範囲内で変動しても、その変動量に応じて塗布部１１が首振りして塗布部１１の端部のいずれかが紙面Ｐから浮き上がることがなく、常に一定の太さのアンダーラインを描くことができる。
【図面の簡単な説明】
【００１２】
【図１】本発明実施例の要部の断面図および平面図である。
【図２】塗布状態の説明図である。
【符号の説明】
【００１３】
１    ペン体
１１    塗布部
１２    球形部
１３    円柱部
２    主軸
３    継ぎ手
３１    縦リブ
３２    抱持部
３３    段部
４    先口
４１    先端開口
５    インキ中継芯
５１    円錐部
５２    大径部
６    中綿
７    スプリング
【図１】
2009248493.tif 000003
【図２】
2009248493.tif 000004